(57)【特許請求の範囲】
【請求項１】
床エキスパンション・ジョイント端部の化粧カバープレート下に設けられるフレームとベースパネルからなる基板部、該基板部上に対向して設けられた一対のスライドレール、該スライドレール上に載置され前記基板部上を摺動自在な摺動台座、該摺動台座上で各々の端部が重ね代を持って重なり合い各々他端は前記基板部上に設けられた受け金物に係合する可動パネル、該可動パネル上に載置され前記床エキスパンション・ジョイント端部のカバープレート下に位置する可動役物板からなり、
躯体と躯体間のクリアランスの前後方向に変化があった場合、前記摺動台座が基板部上でスライドレール上を摺動すると共に、該基板部上に載置された可動パネル及び可動役物板を可動せしめ、床エキスパンション・ジョイントと内壁エキスパンション・ジョイント間のコーナー納まり部に隙間を生じさせないようカバー可能に構成したこと、
を特徴とする免震建物用エキスパンション・ジョイントの内部床可動役物装置。
【請求項２】
前記床エキスパンション・ジョイントと内壁エキスパンション・ジョイント間のコーナー納まり部に隙間を生じさせないためのカバー部を、重量に充分耐え得るように構成したことを特徴とする請求項１記載の免震建物用エキスパンション・ジョイントの内部床可動役物装置。
【請求項３】
床エキスパンション・ジョイント端部の化粧カバープレート下に設けられるフレームとベースパネルからなる基板部、該基板部上に対向して設けられた一対のスライドレール、該スライドレール上に載置され前記基板部上を摺動自在な摺動台座、該摺動台座上に載置された前記床エキスパンション・ジョイント端部の化粧カバープレート下に位置する可動役物板からなり、
躯体と躯体間のクリアランスの前後方向に変化があった場合、前記摺動台座が基板部上でスライドレール上を摺動すると共に、該基板部上に載置された可動役物板を可動可能としたこと、
を特徴とする請求項１記載の免震建物用エキスパンション・ジョイントの内部床可動役物装置。
【請求項４】
摺動台座及び可動パネルの通常時位置固定と、クリアランス間の変動に追従した動きをさせるように、摺動台座には、コイルバネとワイヤーを設け、可動パネルには各々コイルバネとワイヤーを設けたこと、
を特徴とする請求項１又は請求項３記載の免震建物用エキスパンション・ジョイントの内部床可動役物装置。
【請求項５】
床エキスパンション・ジョイント端部の化粧カバープレート下に設けられるフレームとベースパネルからなる基板部、該基板部上に対向して設けられた一対のスライドレール、該スライドレール上に載置され前記基板部上を摺動自在な摺動台座、該摺動台座上で各々の端部が重ね代を持って重なり合い各々他端は前記基板部上に設けられた受け金物に係合する可動パネル、該可動パネル上に載置され前記床エキスパンション・ジョイント端部のカバープレート下に位置する可動役物板からなり、
躯体間のクリアランスの前後方向に変位時には、前記摺動台座が基板部上でスライドレール上を摺動すると共に、該基板部上に載置された可動パネル及び可動役物板を可動せしめ、その結果床エキスパンション・ジョイントと内壁エキスパンション・ジョイント間のコーナー納まり部に隙間を生じさせないよう被覆可能せしめること、
を特徴とする免震建物用エキスパンション・ジョイントの内部床可動方法。
【発明の詳細な説明】
【０００１】
【発明の属する技術分野】
本発明は、免震建物または建物の高層階等に設けられるエキスパンション・ジョイントの内部床用可動役物装置及び可動方法に関するものである。
【０００２】
そもそもエキスパンション・ジョイントは、建物にかかる地盤不等沈下などの外力等種々の変位・変動要因から発生する応力の伝達を分断するために設けられた分割ラインのことであり、隣接して建てられた左右の躯体同士の衝突を防ぐ為に設けられたクリアランス（間隙）を躯体の動きに追従可動する部材で塞ぎ、左右の躯体を接続、一体化して使用できるようにするジョイント部材である。
【０００３】
エキスパンション・ジョイント部に取り付けられるジョイント部材は、主にアムミニウムやステンレス等の金属加工品によって製作されており、地震等による一時的変形や、不等沈下等の変形に追従できるよう、該可動部と化粧カバープレート材とから構成されている。
【０００４】
前記ジョイント部材にて接続される躯体内部側には、床同士、内壁同士、天井同士のジョイント部材、更には床ジョイント部材と内壁ジョイント部材の接合部役物、内壁ジョイント部材と天井ジョイント部材の役物、により構成されている。
【０００５】
斯くして近時の免震建物、または建物の高層階にあっては、躯体間のクリアランスを、従来工法では５０ｍｍから４００ｍｍ程度であったものを、６００ｍｍ（乃至それ以上）から８００ｍｍ（乃至それ以上）と大きくとり、地震等の一時変形に追従できるようにしているエキスパンション・ジョイント部材が多く用いられるようになっている。
【０００６】
本発明は躯体間のクリアランスを大きくとった、免震建物または建物の高層階用の、主として床ジョイント部材と内壁ジョイント部材間に設置される内部床用可動役物装置に関するものであり、又、本発明の目的は、巾の大きな床ジョイント部材と内壁ジョイント部材間にあって、床と内壁の各ジョイント部材の接合部が、大きな揺れ動きが生じたときに追従できず、床ジョイント部材と内壁ジョイント部材接合部に隙間ができてしまうという好ましくない結果の生じることを防止したエキスパンション・ジョイントの内部床用可動役物装置及び可動方法を提供することにある。
【０００７】
【従来の技術】
従来の床エキスパンション・ジョイントのクリアランスは、せいぜい５０ｍｍから４００ｍｍ程度であり、床エキスパンション・ジョイントの端部に役物カバーを設け、該役物カバーを内壁カバー下端部にのみ込ませる方法が一般的であった。
【０００８】
図１は従来の床エキスパンション・ジョイントと内壁エキスパンション・ジョイントの納まり例を示す斜視図であり、図２は図１の構成に於いて、左右の躯体が前後に動いた場合の状態を示す説明図である。
【０００９】
図１及び図２に於いて、躯体Ａ並びにＢ間にはクリアランスＧが設けられており、該クリアランスＧには、床エキスパンション・ジョイント１と内壁エキスパンション・ジョイント２が設けられている。
床エキスパンション・ジョイント１は縁材３，３’間に装架された化粧カバープレート４、該化粧カバープレート４を前記縁材３，３’と共に摺動自在に狭持する化粧縁材５，５’からなる。
尚、６は止水補助シートを示している。
【００１０】
斯くして、従来の床エキスパンション・ジョイント１端部は内壁エキスパンション・ジョイント２の下端部にのみ込まれており、該コーナー部分には前記化粧カバープレート４の下部にL字型役物カバー７が設置されている。
【００１１】
該Ｌ字型役物カバー７は、化粧カバープレート４の下で、該化粧カバープレート４と縁材３，３’間に摺動自在に狭持され、一端部に内壁エキスパンション・ジョイント２の裏面に係合する立ち上がり部８を有している。
【００１２】
従って、躯体Ａと躯体Ｂが前後に揺れ動き、図２のように左右の躯体Ａ、Ｂが変動しても、Ｌ字型役物カバー７が、内壁エキスパンション・ジョイント２に追従して動き、該内壁エキスパンション・ジョイント２と床エキスパンション・ジョイント１間に生じる隙間９をカバーする。
【００１３】
【本発明が解決しようとする課題】
しかしながら、上述の従来例では、躯体Ａと躯体ＢとのクリアランスＧが５０ｍｍから４００ｍｍ程度の小型のエキスパンション・ジョイントに適用できる納まり例であるに過ぎなく、近時の免震建物、または高層階用といったクリアランスＧが、例えば略６００ｍｍ（以上）から略８００ｍｍ（以上）といった大きな揺れ動きを想定したエキスパンション・ジョイントとしては実用に供しないものであった。
【００１４】
特に図１及び図２にて説明した従来例では、大きな揺れ動きに対しては追従巾が少なく、結果、隙間ができてしまうので、大きなクリアランスＧを持つエキスパンション・ジョイントとしては、出来てしまった隙間を完全に、且つ強固に、化粧材によって覆い、カバーしなくては、エキスパンション・ジョイント部分が逆に危険な部位と化してしまう。
【００１５】
本発明は上記のような従来の欠点に鑑み、近時になり特に、必要になつてきた免震建物、または高層階用エキスパンション・ジョイントの内部床可動役物装置と可動方法を提供することを目的とするものである。
【００１６】
【課題を解決する手段】
上記の目的を達成するため、本発明では、内壁エキスパンション・ジョイントと取り合う床エキスパンション・ジョイント端部のカバープレート下に下記する床用可動役物装置を設けた。
【００１７】
即ち、床エキスパンション・ジョイント端部の化粧カバープレート下に、フレームとベースパネルからなる基板部、該基板部上に対向して設けられた一対のスライドレール、該スライドレール上に載置され前記基板部上を摺動自在な摺動台座、該摺動台座上で各々の端部が重ね代を持って重なり合い各々の他端は前記基板上に設けられた受け金物に係合している可動パネル、該可動パネル上に載置され前記床エキスパンション・ジョイント端部のカバープレート下に位置する可動役物板、から成り、躯体Ａと躯体Ｂ間のクリアランスＧの前後方向に大きな揺れ動きがあった場合には、前記摺動台座が基板部上でスライドレール上を摺動すると共に、該基板部上に載置された可動パネル及び可動役物板を可動せしめて、床エキスパンション・ジョイントと内壁エキスパンション・ジョイントの納まり取り合い部に隙間を生じさせないよう、前記可動役物板にてのカバーを可能とする構成及び方法を要旨とする。
また該カバー部が前記摺動台座上にあることから、重量的に十分耐え得るよう構成したことも特徴としている。
【００１８】
【発明の実施の形態及び実施例】
以下本発明実施の一例を図３乃至図６に基づき詳説する。
【００１９】
図３は本発明の実施部位を示す斜視説明図、図４は本発明の動きを示す説明図、図５は本発明装置の構成を示す平面図、図６は図５の要部断面図を示している。
【００２０】
図３乃至図６において、躯体Ａと躯体Ｂ間には６００ｍｍから８００ｍｍの大きなクリアランスＧが設けられており、該クリアランスＧ間には床エキスパンションジョイント１０と内壁エキスパンション・ジョイント１１が設けられている。
該床エキスパンション・ジョイント１０は縁材１２，１２’の間に装架された化粧カバープレート１３、該化粧カバープレート１３を前記縁材１２，１２’と共に摺動自在に狭持する化粧縁材１４，１４’からなる。
尚、１５はセラミック・ファイバー等からなる耐火帯であり、防火性能を要求される部位のエキスパンション・ジョイントに一般的に使用されているものである。
【００２１】
而して、本実施例の図３及び図４においては、床エキスパンション・ジョイント１０端部に、化粧カバープレート１３下の基板部１６、摺動台座１７、並びに可動役物板１８が設けられており、又、該基板部１６、摺動台座１７、可動役物板１８の構成詳細は図５及び図６に示されている。
【００２２】
図５の平面図及び図６の要部断面図に於ける基板部１６摺動台座１７，及び可動役物板１８は、図３及び図４にて示すように、床エキスパンション・ジョイント１０の端部に内装されており、該基板部１６はフレーム１９とベースパネル２０、及び該ベースパネル２０上に対向して設けられた一対のスライドレール２１，２１’から成る。該スライドレール２１，２１’上には、該スライドレール２１，２１’に沿って摺動自在な摺動台座１７が載置されており、該摺動台座１７上は耐重量性のある支持板２２が設けられている。
【００２３】
また、摺動台座１７の支持板２２上には、該支持板２２上で各々の端部が重ね代を持って重なり合っている可動パネル２３，２３’が載置されており、該可動パネル２３，２３’の各々の他端は前記基板部１６のフレーム１９に固定されたレール状の受け金物２４，２４’に係合し、前後、左右に摺動可能である。
【００２４】
更に、前記可動パネル２３，２３’と化粧カバープレート１３（図３に示す）の間には可動役物板１８が嵌装されており、該可動役物板１８は前記可動パネル２３，２３’上で摺動台座１７の摺動、及び可動パネル２３，２３’の動きに連動して、前記化粧縁材１４，１４’に沿って摺動可能である。
【００２５】
また、前記摺動台座１７は、引張りコイルバネ２５によって常に基板部１６上の定位置に押圧されており、該摺動台座１７の他端はステンレス等のワイヤー２６によって位置決め固定されている。
ワイヤー２６の他端は、例えば、外部壁面に設けられるエキスパンション・ジョイント部材（図示せず）に結線されており、また緊張しているため、該エキスパンション・ジョイントが変動すると、その変動分だけ引張りコイルバネ２５が伸張して、摺動台座１７を可動とし、同様に可動パネル２３，２３’も摺動して、可動役物板１８を、図５の想像線１８’のように動かすことが出来る。
【００２６】
尚、前記摺動台座１７上に載置された可動パネル２３，２３’も、同様にコイルバネ２７，２７’を有しており、基板部１６上の定位置に通常は固定され、各々その端部はワイヤー２８，２８’により外部エキスパンション・ジョイントに結線されている。
【００２７】
斯くして、本発明は、図３に示す状態から、躯体Ａと躯体Ｂが前後に動いて図４に示すようにクリアランスＧの前後方向に変動があった場合に、摺動台座１７が基板部１６上でスライドレール２１，２１’により摺動すると共に、可動パネル２３，２３’及び可動役物板１８を連動せしめ、床エキスパンション・ジョイント１０と内壁エキスパンション・ジョイント１１間のコーナー納まり部に生じる隙間２９を可動役物板１８がカバーすることを可能としたものである。
【００２８】
【発明の効果】
本発明は、以上説明したような構成と方法を有しているので、以下に記載されるような効果を発揮する。
【００２９】
即ち、本発明は躯体Ａ、Ｂ間のクリアランスを大きく取った、免震建物、または建物の高層階用でその効果を著しく発揮できる追従性の大きな内部床用可動役物装置を提供することができ、また、耐重量性を配慮して製作可能な摺動台座にて可動役物板を確実に変位量に応じ摺動させ、床エキスパンション・ジョイントと内壁エキスパンション・ジョイント間のコーナー納まり部位に生じる隙間を確実にカバーすることのできる免震建物用エキスパンション・ジョイントの内部可動役物装置と方法を提供可能とする、という顕著な効果を奏するので、本発明実施による効果は極めて大きい。
【図面の簡単な説明】
【図１】従来装置を示す斜視説明図である。
【図２】従来装置の動き方を示す説明図である。
【図３】本発明の一実施例を説明する斜視図である。
【図４】本発明の動き方を示す説明図である。
【図５】本発明の要部を示す平面図である。
【図６】図５の要部断面図である。
【符号の説明】
１  床エキスパンション・ジョイント
２  内壁エキスパンション・ジョイント
３，３’縁材
４  化粧カバープレート
５，５’  化粧縁材
６  止水補助シート
７  L字型役物カバー
８  立ち上がり部
９  隙間
１０  床エキスパンション・ジョイント
１１  内壁エキスパンション・ジョイント
１２，１２’縁材
１３  化粧カバープレート
１４  、１４  化粧縁材
１５  耐火帯
１６  基板部
１７  摺動台座
１８  可動役物板
１９  フレーム
２０  ベースパネル
２１，２１’スライドレール
２２  支持板
２３，２３’可動パネル
２４，２４’受け金物
２５  コイルバネ
２６  ワイヤー
２７，２７’コイルバネ
２８，２８’ワイヤー
２９  隙間
Ａ  躯体
Ｂ  躯体
Ｇ  クリアランス
【図１】
0003650071.tif 000002
【図２】
0003650071.tif 000003
【図３】
0003650071.tif 000004
【図４】
0003650071.tif 000005
【図５】
0003650071.tif 000006
【図６】
0003650071.tif 000007